(57)【要約】【課題】  運転席と異なる画像を助手席から見ることができる車両用表示装置を提供すること。【解決手段】  車両のインストルメントパネル３の運転席１および助手席２の双方から見える位置に開口窓部５を形成し、上記インストルメントパネル３の内部に上記開口窓部５を通して運転席１および助手席２から見える表示ミラー７を設け、上記インストルメントパネル３の内部に運転席１および助手席２に対応する画像表示装置８，９を各別に設け、これら画像表示装置８，９の表示画面をそれぞれ反射して、上記表示ミラー７に個別に反射する反射ミラー１０，１１，１２，１３を上記インストルメントパネル３の内部に配設し、上記運転席１および助手席２に対応する画像表示装置８，９の画面を上記表示ミラー７を通して上記運転席１および助手席２で個別に視認可能に設定した装置。【選択図】        図２
2005088715.tif 000002
【特許請求の範囲】
【請求項１】
車両のインストルメントパネルの運転席および助手席の双方から見える位置に開口窓部を形成し、上記インストルメントパネルの内部に上記開口窓部を通して運転席および助手席から見える表示ミラーを設け、上記インストルメントパネルの内部に運転席および助手席に対応する画像表示装置を各別に設け、これら画像表示装置の表示画面をそれぞれ反射して、上記表示ミラーに個別に反射する反射ミラーを上記インストルメントパネルの内部に配設し、上記運転席および助手席に対応する画像表示装置の画面を上記表示ミラーを通して上記運転席および助手席で個別に視認可能に設定したことを特徴とする車両用表示装置。
【請求項２】
上記反射ミラーを、第１の反射ミラーと第２の反射ミラーで構成したことを特徴とする請求項１に記載の車両用表示装置。
【請求項３】
上記画像表示装置、第１の反射ミラー、第２の反射ミラーおよび表示ミラーをユニットに構成したことを特徴とする請求項１または２に記載の車両用表示装置。
【請求項４】
上記第１の反射ミラーおよび/または第２の反射ミラーをミラーレンズで構成したことを特徴とする請求項２または３に記載の車両用表示装置。
【請求項５】
上記画像表示装置に液晶ディスプレーを用いたことを特徴とする請求項１ないし４のいずれか１項に記載の車両用表示装置。
【請求項６】
上記各画像表示装置のスピーカを車体の左右の側面側に内蔵したことを特徴とする請求項１ないし５のいずれか１項に記載の車両用表示装置。
【発明の詳細な説明】
【技術分野】
【０００１】
本発明は、インストルメントパネルに設けた窓部から覗ける表示ミラーに、運転席と助手席の乗員にそれぞれ別の画像を表示することができる車両用表示装置に関する。
【背景技術】
【０００２】
乗用車等の車両には、走行速度計、エンジン回転数計、燃料計等の他にテレビあるいはナビゲーションの画像を表示する表示装置（モニタ）が設置されている。これらは、いずれも運転席から見やすいような角度でインストルメントパネルに設置されている。
【０００３】
テレビあるいはナビゲーションの画像は、運転席だけでなく、助手席の乗員も同時に見れることが望ましい。そこで、インストルメントパネルに設置した表示装置の画像を、運転席と助手席の双方から見れるようにした技術が開発されている（特許文献１参照）。
【特許文献１】特開平１１−１０９１０２号公報
【発明の開示】
【発明が解決しようとする課題】
【０００４】
しかしながら、上記特許文献１の技術によると、インストルメントパネルに設置した表示装置は、１台であるため、運転者と違う画像あるいは違う番組を観ることはできなかった。また、インストルメントパネルの上部に表示装置（モニタ）を運転席用と助手席用を別個に設けると、運転者の視界を遮ると共に他の画像も視界に入るので煩わしい。
【０００５】
本発明は、上記課題を解決し、運転者の視界を遮ることなく、運転席と異なる画像を助手席から見ることができる車両用表示装置を提供することを目的とする。
【課題を解決するための手段】
【０００６】
本発明は、上記課題を解決するため、車両のインストルメントパネルの運転席および助手席の双方から見える位置に開口窓部を形成し、上記インストルメントパネルの内部に上記開口窓部を通して運転席および助手席から見える表示ミラーを設け、上記インストルメントパネルの内部に運転席および助手席に対応する画像表示装置を各別に設け、これら画像表示装置の表示画面をそれぞれ反射して、上記表示ミラーに個別に反射する反射ミラーを上記インストルメントパネルの内部に配設し、上記運転席および助手席に対応する画像表示装置の画面を上記表示ミラーを通して上記運転席および助手席で個別に視認可能に設定したことにある。
また、本発明は、上記反射ミラーを、第１の反射ミラーと第２の反射ミラーで構成したことにある。
さらに、本発明は、上記画像表示装置、第１の反射ミラー、第２の反射ミラーおよび表示ミラーをユニットに構成したことにある。
またさらに、本発明は、上記第１の反射ミラーおよび/または第２の反射ミラーをミラーレンズで構成したことにある。
また、本発明は、上記画像表示装置に液晶ディスプレーを用いたことにある。
さらに、本発明は、上記画像表示装置のスピーカを車体の左右の側面側に内蔵したことにある。
【発明の効果】
【０００７】
本発明によると、インストルメントパネルの内部に運転席および助手席に対応する画像表示装置を各別に設け、これら画像表示装置の表示画面をそれぞれ反射して、インストルメントパネルに配設された表示ミラーに映し出すようにしたので、インストルメントパネルの開口窓部を通して表示ミラーから運転席と助手席で別の画像を見ることができると共に他の席用の画像が視界に入らない。また、インストルメントパネルの上部に表示装置（モニタ）を運転席用と助手席用を別個に設けると、運転者の視界を遮ると共に他の画像も視界に入るので煩わしいが、本発明では、インストルメントパネル上に一つの表示窓で対応することが可能で、視界の遮りを最小限にすることが可能となり、インストルメントパネル上がすっきりしたデザインとなる。さらに、画像表示装置、第１の反射ミラー、第２の反射ミラーおよび表示ミラーをユニット化したので、組付け作業を容易に行うことができる。またさらに、反射ミラーをミラーレンズで構成することで、拡大した画像を見ることができる。画像表示装置のスピーカを車体の左右の側面側に内蔵したので、運転席と助手席に対応した音声を聞くことができる。
【発明を実施するための最良の形態】
【０００８】
以下、図示の実施の形態を図面を参照しながら、詳細に説明する。
図１ないし図３は、本発明の実施の形態による車両用表示装置を示したもので、図１は、車室内を概念的に示す平面図である。図２は、インストルメントパネルの内部に設置された車両用表示装置を概念的に示す平面図、図３は図２の車両用表示装置を車両の側面から見た側面図である。図４は、車体の内部を後方から見た概念図である。
【０００９】
図１ないし図３において、右ハンドル車の場合、車両の室内には、右側に運転者が座る運転席１が、左側に乗員が座る助手席２が設けられている。そして、車両の前方には、インストルメントパネル３が設けられ、このインストルメントパネル３の右側位置に、車輪を操舵するステアリングホイール４が設置されている。
【００１０】
インストルメントパネル３の車両幅方向の中央位置には、運転席１および助手席２の双方から見える位置に、テレビ、あるいはナビゲーションなどの画像表示装置（モニタ）の表示画面となる開口窓部５が設けられている。この開口窓部５は、図３に示すように、半球状の樹脂カバー６で構成され、この樹脂カバー６は、車体前方側６ａの内面を黒色等で着色して不透明に形成され、かつ車体後方側６ｂを透明に形成して車室内から内部が覗けるように形成されている。
【００１１】
上記樹脂カバー６の内部には、運転席１および助手席２の双方から見える位置に、１台の表示用ミラー７が車体後方に向けて設置されている。一方、上記インストルメントパネル３の内部には、運転席用の画像表示装置としての画像を送る液晶ディスプレー８と、助手席用の画像表示装置としての画像を送る液晶ディスプレー９が、それぞれ表示用ミラー７の下方位置で、互いに隣接するようにして、斜め後方下部側で、かつ互いに僅かに内側に向けて設置されている。運転席用の液晶ディスプレー８が助手席２側、助手席用の液晶ディスプレー９が運転席１側に互いに隣接して配置されている。これら液晶ディスプレー８と液晶ディスプレー９の下方位置には、それぞれ表示画像を反射する反射面を有する第１の反射ミラー１０，１１が、液晶ディスプレー８と液晶ディスプレー９の表示画像を一定の角度で反射するように上面側に向けて設けられている。反射ミラー１０は、液晶ディスプレー８に対応するように、反射ミラー１１は、液晶ディスプレー９に対応するようにして設けられている。
【００１２】
上記液晶ディスプレー８と液晶ディスプレー９の後方位置には、第１の反射ミラー１０，１１によって反射された、液晶ディスプレー８と液晶ディスプレー９の表示画像を表示用ミラー７にそれぞれ反射する第２の反射ミラー１２，１３が車体前方に向けて配置されている。反射ミラー１２は、反射ミラー１０によって反射された液晶ディスプレー８の画像を表示用ミラー７を介して運転席１側に画像を送り、反射ミラー１３は、反射ミラー１１によって反射された液晶ディスプレー９の画像を表示用ミラー７を介して助手席２側に画像を送るように、角度を調整されている。
【００１３】
第１の反射ミラー１０，１１および第２の反射ミラー１２，１３は、それぞれＬ字形に折り曲げられたブラケット１４に、上方と前方を向くようにして取付けられている。これら第１の反射ミラー１０，１１は、平面鏡で構成され、左右独立して設けられている。また、第２の反射ミラー１２，１３は、左右独立して構成され、図示しない駆動装置によりそれぞれ取付角度が調整可能に構成されている。これによって、乗員の体格、座席位置によってそれぞれ異なる乗員から表示用ミラー７を通して見える液晶ディスプレー８と液晶ディスプレー９の画像位置を調整することができる。
第２の反射ミラー１２，１３は、ミラーレンズで構成され、画像を反射するとともに、拡大する機能を持っている。
上記液晶ディスプレー８および液晶ディスプレー９の音声は、図４に示すように、車両に設けられた左右のドアパネル１５，１６の内部にスピーカ１７，１８を内蔵することによって各液晶ディスプレー８および液晶ディスプレー９ごとの音声を聞くことができる。
【００１４】
しかして、上記構成によると、液晶ディスプレー８の画像は、第１の反射ミラー１０によって反射し、この画像を第２の反射ミラー１２によって拡大しながら反射して表示用ミラー７を通して運転席１から見ることができる。したがって、液晶ディスプレー８からは、運転者が見たいナビゲーションの表示画面などを見ることができる。一方、液晶ディスプレー９の画像は、第１の反射ミラー１１によって反射し、この画像を第２の反射ミラー１３によって拡大しながら反射して表示用ミラー７を通して助手席２から見ることができる。したがって、液晶ディスプレー９からは、助手席２などに腰掛けた乗員が見たいテレビなどの表示画面を見ることができる。
【００１５】
上記車両用表示装置は、上記液晶ディスプレー８および液晶ディスプレー９と、第１の反射ミラー１０，１１および第２の反射ミラー１２，１３と、表示用ミラー７とをユニットとして構成することで、このユニットを車体に組付けた後、樹脂カバー６とともにインストルメントパネル３で覆うことによって、車体に容易に組付けることができる。また、装置の車両前後方向の長さを短縮するように構成したので、装置全体をコンパクトに構成し、インストルメントパネル３内部への配置が可能になった。したがって、インストルメントパネル３上に、画像表示装置（モニタ）の表示画面となる一つの開口窓部５（表示窓）を設けることで対応することができるので、視界の遮りを少なくすることが可能で、インストルメントパネル３上がすっきりしたデザインとなる。
【００１６】
なお、本発明は、上記実施の形態のみに限定されるものではなく、例えば、画像表示装置としては、テレビあるいはナビゲーションなどの他、テレビ電話など、あらゆる画像表示の画面に適用することができる。また、反射ミラーの種類、および数としては、第１の反射ミラー１０，１１および第２の反射ミラー１２，１３に限らず、必要に応じて、画像の拡大、縮小機能のあるミラーを用いることもでき、その数も増減することができる。さらに、スピーカ１７，１８は、左右のドアパネル１５，１６に限らず車体の側面のパネル内に内蔵することもできる。など、その他、本発明の要旨を変更しない範囲内で、適宜、変更して実施し得ることは言うまでもない。
【図面の簡単な説明】
【００１７】
【図１】本発明の実施の形態による車両用表示装置を示す概念図である。
【図２】本発明の実施の形態による車両用表示装置を示す拡大平面図である。
【図３】本発明の実施の形態による車両用表示装置を示す一部を断面にした拡大側面図である。
【図４】本発明の他の実施の形態による車両用表示装置を示す概念図である。
【符号の説明】
【００１８】
１  運転席
２  助手席
３  インストルメントパネル
４  ステアリングホイール
５  開口窓部
６  樹脂カバー
７  表示用ミラー
８，９  液晶ディスプレー（画像表示装置）
１０，１１  第１の反射ミラー
１２，１３  第２の反射ミラー
１４  ブラケット
１５，１６  ドアパネル
１７，１８  スピーカ
【図１】
2005088715.tif 000003
【図２】
2005088715.tif 000004
【図３】
2005088715.tif 000005
【図４】
2005088715.tif 000006